(57)【要約】【課題】  重量バランスの不均衡によるトラバースの捩れ変形を阻止することによってチャッキング状態でのディスクの振れ動きを抑制する。【解決手段】  トラバース２０が正方向又は逆方向に揺動することにより、クランパ４０とターンテーブル２４との共働によるディスクチャッキング動作又はディスクチャッキング解除動作が行われる。ディスクチャッキング状態で、重量バランスの不均衡によるトラバース２０の捩れ変形を修正してその姿勢の安定化を助けるトラバース姿勢保持手段５０を追加する。トラバース姿勢保持手段２０が、トラバースの前端部の幅方向片側端に設けられた孔部でなる受部５１と、受部５１を押さえてその片側端の高さレベルをトラバース２０の前端部の幅方向他側端の高さレベルに合わせる押圧部５５とを有する。【選択図】        図１
2009004016.tif 000002
【特許請求の範囲】
【請求項１】
シャーシと、このシャーシに取り付けられてそのシャーシに対する垂直方向及び傾き方向に変位可能なクランパと、上記シャーシに連結された基端部を支点として上記クランパに接近する方向の正方向揺動とそのクランパから離反する方向の逆方向揺動とが可能な板状の樹脂成形体でなるトラバースと、このトラバースに装備されたターンテーブルと、上記トラバースの前端部に装備されたカムピンと上記シャーシに取り付けられて上記カムピンの変位動作を通じて上記トラバースを正方向又は逆方向に揺動させるカム板とでなるカム機構と、を備えて、
上記トラバースが正方向揺動するのに伴って上記クランパと上記ターンテーブルとの共働によるディスクチャッキング動作が行われ、上記トラバースが逆方向揺動するのに伴って上記クランパと上記ターンテーブルとの共働によるディスクチャッキング状態を解除するディスクチャッキング解除動作が行われるように構成されているディスク装置において、
上記クランパと上記ターンテーブルとの共働によるディスクチャッキング状態で、重量バランスの不均衡による上記トラバースの捩れ変形を修正してその姿勢の安定化を助けるトラバース姿勢保持手段が追加されていることを特徴とするディスク装置。
【請求項２】
上記トラバースがその基端部の幅方向両端部の２箇所で上記シャーシに連結され、上記カム機構は単一のカムピンがそのカム板のカム溝に摺動可能に係合されていると共に、上記２箇所の連結箇所では、トラバースを挟む一対のゴム緩衝体を介してそのトラバースが上記シャーシにビス止めされている請求項１に記載したディスク装置。
ディスク装置。
【請求項３】
上記トラバース姿勢保持手段が、上記トラバースの前端部の幅方向片側端に設けられた受部と、この受部を押さえてその片側端の高さレベルを上記トラバースの前端部の幅方向他側端の高さレベルに合わせる押圧部と、を有して、その押圧部が上記シャーシに設けられている請求項１又は請求項２に記載したディスク装置。
【請求項４】
上記トラバース姿勢保持手段は、その受部が円錐面を有する孔部によって形成され、その押圧部が、トラバースの正方向又は逆方向の揺動によって上記孔部に嵌脱され、かつ、嵌合状態で上記円錐面を押さえる円錐部を備えている請求項３に記載したディスク装置。
【請求項５】
上記トラバース姿勢保持手段の押圧部が、樹脂成形体でなる上記シャーシに一体成形された片持ちアームの先端に樹脂で一体成形されている請求項４に記載したディスク装置。
【発明の詳細な説明】
【技術分野】
【０００１】
本発明は、ディスク装置、特に、シャーシとこのシャーシに揺動可能に取り付けられた樹脂成形体でなるトラバースとを備えて、トラバースの揺動を通じてトラバースに装備されているターンテーブルがシャーシ側に設けられているクランパと共働してディスクチャッキング状態を作り出すようになっているディスク装置に関する。
【背景技術】
【０００２】
この種のディスク装置の従来例を図４〜図８を参照して次に説明する。
【０００３】
図４はディスク装置の全体構成を一部省略して示した概略平面図である。また、図５及び図６はカム機構の説明図、図７はディスクチャッキング状態を一部断面で示した概略側面図、図８はディスクチャッキング解除状態を一部断面で示した概略側面図である。
【０００４】
図４には、矩形枠形のシャーシ１０、板状のトラバース２０、カム機構３０などが示されている。シャーシ１０やトラバース２０は樹脂成形体でなり、そのうちシャーシ１０には、図７又は図８に示した樹脂製の横架片１１が幅方向に横切る形態で一体成形されていて、この横架片１１に円板形のクランパ４０が保持されている。このクランパ４０は、シャーシ１０に対する垂直方向に一定範囲内で変位可能になっていると共に、傾き方向にも一定範囲内で変位可能になっている。
【０００５】
図４に示したように、トラバース２０は、その基端部の幅方向両端部の２箇所でシャーシ１０に連結されている。具体的には、２箇所のそれぞれの連結箇所ａでは、図７又は図８に示したように、トラバース２０を挟む一対のゴム緩衝体２１，２２を介してそのトラバース２０がシャーシ１０に取付けビス２３を用いてビス止めされている。そして、このトラバース２０は、２箇所の連結箇所ａが位置している基端部を支点として、ゴム緩衝体２１，２２の弾性変形を伴いながら、上記したクランパ４０に接近する正方向揺動（図例では上動）とクランパ４０から離反する逆方向揺動（図例では下動）とが可能になっている。
【０００６】
また、トラバース２０の前端部は図５及び図６に示したカム機構３０によってシャーシ１０に連結されている。図５及び図６のように、カム機構３０は、単一のカムピン３１とカムスライダでなるカム板３２とを備えていて、カム板３２のカム溝３３にカムピン３１が相対摺動可能に係合されている。そして、図４のように、カムピン３１がトラバース２０の前端部の１箇所から前向きに突き出し、かつ、カム板３２がシャーシ１０に幅方向スライド自在に取り付けられている。さらに、カム板３２に備わっているラック３４がシャーシ１０に取り付けられているピニオン３５に対応している。このため、ラック３４の噛み合ったピニオン３５が正方向又は逆方向に回転駆動されることを通じて、カム板３２がシャーシ１０の幅方向に往動又は復動する。そして、図例では、図５の矢印Ｘ１のようにカム板３２が往動すると、カムピン３１がカム溝３３の作用で垂直方向に上動されてトラバース２０を正方向揺動させるのに対し、図６の矢印Ｘ２のようにカム板３２が復動すると、カムピン３１がカム溝３３の作用で垂直方向に下動されてトラバース２０を逆方向揺動させるようになっている。
【０００７】
次に、図４や図５又は図６に示したように、トラバース２０には、ターンテーブル２４を装備したモータ２５、ガイドシャフト２６、ガイドシャフト２６により案内されて矢印Ｙのようにディスク径方向に走行される光ピックアップ２７のほか、光ピックアップ２７に走行力を付与するためのモータ２８などが搭載されている。
【０００８】
以上の構成を備えたディスク装置において、カム機構３０の作用によってトラバース２０が正方向揺動されると、図７矢印Ｃのように、トラバース２０と共にターンテーブル２４が上動してそのターンテーブル２４にあらかじめ載架されているディスクＤがクランパ４０に押し付けられ、そのクランパ４０がターンテーブル２４と共働してディスクＤをチャッキングしてディスクチャッキング状態になる。このチャッキング状態が作り出されるまでのトラバース２０の正方向揺動動作がディスクチャッキング動作である。そして、ディスクチャッキング状態では、ディスクＤを押し付けているクランパ４０が横架片１１に非接触状態で回転可能である。一方、カム機構３０の作用によってトラバース２０が逆方向揺動されると、図８矢印Ｕのように、トラバース２０と共にターンテーブル２４が下動してそのターンテーブル２４に載架されているディスクＤがクランパ４０から離れてディスクチャッキング解除状態になる。このディスクチャッキング解除状態が作り出されるまでのトラバース２０の逆方向揺動動作がディスクチャッキング解除動作である。そして、ディスクチャッキング解除動作が行われる過程では、ターンテーブル２４に載架されているディスクがクランパ４０から離れた後、ターンテーブル２４から図示していないディスクトレイに受け渡され、その後、ディスクトレイが図８の矢印Ｌ１のようにターンテーブル２４とクランパ４０との隙間から後退することができるようになる。なお、図８の矢印Ｌ２は、ディスクチャッキング解除状態でクランパ４０とターンテーブル２４との隙間に進入されるディスクトレイの移動方向を示している。
【０００９】
ところで、以上説明したディスク装置において、ディスクチャッキング状態でディスクＤがその正規姿勢に対して傾いていると、クランパ４０とターンテーブル２４との共働によるディスクチャッキング状態が不安定になってターンテーブル２４と共に回転するディスクＤが振れ動き、光ピックアップ２７による走査の安定性が阻害されて画像品質が低下するおそれがある。このようなディスクＤの振れ動きを抑制して画像品質の低下を回避するためには、ディスクチャッキング状態でのディスクＤの傾きをできるだけ少なくしておくことが有益であると云える。
【００１０】
一方、トラバースベースを備えるディスク装置において、ディスクチャッキング時のトラバースベースの移動のさせ方に工夫を講じることによって当該ディスク装置の薄形化を図るという提案が従来よりなされている（たとえば、特許文献１参照）。
【特許文献１】特開２００２−３１２９５５号公報
【発明の開示】
【発明が解決しようとする課題】
【００１１】
図４〜図８を参照して説明したディスク装置の従来例では、トラバース２０が、その基端部が２箇所の連結箇所ａ，ａでシャーシ１０に連結され、かつ、その前端部がカム機構３０の単一のカムピン３１によって１箇所でシャーシ１０に連結されているという３点支持構造でシャーシ１０に取り付けられていることに加えて、トラバース２０に光ピックアップ２７やモータ２５，２８などの重量の重い部品が搭載されている。そのため、トラバース２０は、重量バランスの不均衡による捩れ変形が生じやすい状況下に置かれていると云える。ましてや、図例のディスク装置のようにトラバース２０に耐変形強度のそれほど大きくない樹脂成形体が用いられているものでは、重量バランスの不均衡による捩れ変形が生じやすいということが云える。このため、トラバース２０が捩れ変形を起こしたままディスクＤがクランパ４０とターンテーブル２４との共働によりチャッキングされるという事態の生じるおそれがあり、そのときにはディスクＤの振れ動きを生じるおそれがある。
【００１２】
図９にはディスクチャッキング状態でトラバース２０が捩れ変形を起こしている状態を説明的に示してあり、ディスクチャッキング解除状態でのトラバース２０を仮想線で示し、ディスクチャッキング状態でのトラバース２０を実線で示してある。同図のように、ディスクチャッキング状態でトラバース２０が正規姿勢（一点鎖線２０’で示した水平姿勢）に対して捩れ変形を起こしていると、クランパ４０が傾き方向に変位可能であるために、図７に示したディスクチャッキング状態では、ディスクが傾いて不安定な状態になる。そのため、回転中のディスクＤが振れ動いて光ピックアップ２７による走査の安定性が阻害され、画像品質が低下するおそれがある。
【００１３】
本発明は以上の状況の下でなされたものであり、重量バランスの不均衡によるトラバースの捩れ変形を阻止することによってディスクチャッキング状態でのディスクの振れ動きを抑制する機能を備えたディスク装置を提供することを目的とする。
【課題を解決するための手段】
【００１４】
本発明に係るディスク装置は、シャーシと、このシャーシに取り付けられてそのシャーシに対する垂直方向及び傾き方向に変位可能なクランパと、上記シャーシに連結された基端部を支点として上記クランパに接近する方向の正方向揺動とそのクランパから離反する方向の逆方向揺動とが可能な板状の樹脂成形体でなるトラバースと、このトラバースに装備されたターンテーブルと、上記トラバースの前端部に装備されたカムピンと上記シャーシに取り付けられて上記カムピンの変位動作を通じて上記トラバースを正方向又は逆方向に揺動させるカム板とでなるカム機構と、を備えている。また、上記トラバースが正方向揺動するのに伴って上記クランパと上記ターンテーブルとの共働によるディスクチャッキング動作が行われ、上記トラバースが逆方向揺動するのに伴って上記クランパと上記ターンテーブルとの共働によるディスクチャッキング状態を解除するディスクチャッキング解除動作が行われるように構成されている。そして、上記クランパと上記ターンテーブルとの共働によるディスクチャッキング状態で、重量バランスの不均衡による上記トラバースの捩れ変形を修正してその姿勢の安定化を助けるトラバース姿勢保持手段が追加されている。
【００１５】
この構成であると、ディスクチャッキング状態では、トラバース姿勢保持手段が重量バランスの不均衡によるトラバースの捩れ変形を修正してその姿勢を安定化させる。そのために、クランパとターンテーブルとの共働によるディスクチャッキング状態が安定し、ターンテーブルと共に回転するディスクの振れ動きが抑制されて光ピックアップによる走査の安定性が向上し、画像品質が向上することになる。
【００１６】
本発明では、上記トラバースがその基端部の幅方向両端部の２箇所で上記シャーシに連結され、上記カム機構は単一のカムピンがそのカム板のカム溝に摺動可能に係合されていると共に、上記２箇所の連結箇所では、トラバースを挟む一対のゴム緩衝体を介してそのトラバースが上記シャーシにビス止めされている、という構成を採用することが可能である。このようなディスク装置では、トラバースが図４などを参照して説明ところと同様に３点支持されているに過ぎないけれども、上記したトラバース姿勢保持手段の作用によってディスクチャッキング状態が安定して回転中のディスクの振れ動きが抑制される。
【００１７】
本発明では、上記トラバース姿勢保持手段が、上記トラバースの前端部の幅方向片側端に設けられた受部と、この受部を押さえてその片側端の高さレベルを上記トラバースの前端部の幅方向他側端の高さレベルに合わせる押圧部と、を有して、その押圧部が上記シャーシに設けられている、という構成を採用することが可能である。この構成であると、トラバース姿勢保持手段がトラバース側の受部とシャーシ側の押圧部とによって構成されるために、トラバース姿勢保持手段の構成を簡素にすることができるという利点がある。
【００１８】
本発明において、上記トラバース姿勢保持手段は、その受部が円錐面を有する孔部によって形成され、その押圧部が、トラバースの正方向又は逆方向の揺動によって上記孔部に嵌脱され、かつ、嵌合状態で上記円錐面を押さえる円錐部を備えていることが望ましい。この構成であると、シャーシ側の押圧部がトラバース側の受部の孔部に嵌合してトラバースの捩れ変形を抑制するだけでなく、トラバースをその幅方向及び前後方向（奥行方向）の互いに直交する２軸方向で位置決めする作用をも発揮するので、ディスクチャッキング状態でのトラバースの姿勢を安定化させる作用と共に、落下や振動などの衝撃に伴うトラバースの位置ずれや破損を防ぐことにも役立つようになる。
【００１９】
本発明では、上記トラバース姿勢保持手段の押圧部が、樹脂成形体でなる上記シャーシに一体成形された片持ちアームの先端に樹脂で一体成形されていることが望ましい。この構成を採用すると、トラバース姿勢保持手段を構成するための余分な部品を追加する必要がなくなるので、ディスク装置の組立工数が増加しなくなって量産性の低下を回避することができることになる。
【発明の効果】
【００２０】
以上のように、本発明によれば、トラバース姿勢保持手段の作用により、ディスクチャッキング状態で、重量バランスの不均衡によるトラバースの捩れ変形が阻止されるために、ディスクチャッキング状態での回転中のディスクの振れ動きが抑制されて光ピックアップによる走査の安定性が向上し、画像品質が向上する。そのため、特に、トラバースに樹脂成形体を用いたディスク装置のように、トラバースが変形しやすいディスク装置において、回転中のディスクの振れ動きを抑制したり、衝撃によるトラバースの位置ずれや破損を防止したりする上で有益であると云える。
【発明を実施するための最良の形態】
【００２１】
図１は本発明の実施形態に係るディスク装置の全体構成を一部省略して示した概略平面図であり、図２は図１の要部の拡大図である。また、図３はトラバース姿勢保持手段５０の作用を示した説明図である。
【００２２】
この実施形態のディスク装置において、図４などを参照して説明した従来例の構成と異なる構成は、図１に示したトラバース姿勢保持手段５０を追加してある点だけであり、その他の構成は従来例と同様である。このようなディスク装置のトラバース２０では、カム機構３０のカムピン３１の位置を境として、重量の重いモータ２４，２８などが搭載されている幅方向他側がそれらが搭載されていない幅方向片側よりも重いという重量バランスの不均衡が生じている。そのため、ディスクチャッキング動作中にトラバース２０が捩じれ変形を起こしたときには、トラバース２０の前端部において、軽量の幅方向片側がそれよりも重い幅方向他側に先行して正方向揺動し、重量の重い幅方向他側は軽量の幅方向片側に追従して正方向揺動することがある。
【００２３】
トラバース姿勢保持手段５０は、ディスクチャッキング状態で、重量バランスの不均衡によるトラバース２０の捩れ変形を修正してその姿勢の安定化を助ける機能を発揮する。このトラバース姿勢保持手段５０の具体的構成が図３に詳細に示されている。図例のトラバース姿勢保持手段５０は、トラバース２０の前端部の幅方向片側端に設けられた受部５１と、シャーシ１０側に設けられた押圧部５５とでなる。さらに具体的には、受部５１が円錐面５２を有する孔部によって形成されているのに対し、押圧部５５が、受部５１を形成している孔部に嵌脱可能で、かつ、嵌合状態で上記円錐面５２に重なり合って受部５１を押さえる円錐部５６を備えている。そして、押圧部５５が、樹脂成形体でなるシャーシ１０に一体成形されてそのシャーシ１０の片側壁１２から延び出た片持ちアーム５７の先端に樹脂で一体成形されている。
【００２４】
この実施形態において、重量バランスの不均衡によるトラバース２０の捩れ変形を修正してその姿勢の安定化を助けるというトラバース姿勢保持手段５０の機能は、ディスクチャッキング状態で発揮されていればよい。したがって、ディスクチャッキング動作中、すなわちトラバース２０の正方向揺動中にその機能が発揮されている必要性は必ずしもない。したがって、この実施形態では、トラバース２０が正方向揺動してディスクチャッキング動作を行う過程でトラバース姿勢保持手段５０の押圧部５５がトラバース２０側の受部５１を形成している孔部に嵌合し、ディスクチャッキング状態が作られたときに、押圧部５５の円錐部５６が受部５１の円錐面５２に重なり合うことによって、重量バランスの不均衡によるトラバース２０の捩れ変形が修正されるようにしてある。
【００２５】
この点を図３を参照して具体的に説明する。図３には、ディスクチャッキング解除状態でのトラバース２０を仮想線で示し、ディスクチャッキング状態でのトラバース２０を実線で示してある。また、図３には、トラバース２０の正規の水平姿勢を一点鎖線２０’で説明的に示してある。同図によって判るように、仮想線で示されているディスクチャッキング解除状態でのトラバース２０が矢印Ｃのように正方向揺動してディスクチャッキング動作が行われる過程でトラバース姿勢保持手段５０の押圧部５５がトラバース２０側の受部５１を形成している孔部に嵌合する。このように押圧部５５が受部５１に嵌合しても、押圧部５５の円錐部５６が受部５１の円錐面５２に重なりあっていない状態では、同図に破線で示したようにトラバース２０の前端部の幅方向片側がその幅方向他側に先行して正方向揺動している。そして、トラバース２０のディスクチャッキング動作が完了してディスクチャッキング状態になったときには、実線で示したように押圧部５５の円錐部５６が受部５１の円錐面５２に重なり合う。こうして押圧部５５の円錐部５６が受部５１の円錐面５２に重なり合うと、トラバース２０の前端部の幅方向片側の正方向揺動が阻止されている状態のまま、その前端部の幅方向他側の正方向揺動が続行されるために、トラバース２０の前端部の幅方向片側端の高さレベルがトラバース２０の前端部の幅方向他側端の高さレベルに合う。したがって、重量バランスの不均衡によるトラバース２０の捩れ変形が修正され、ターンテーブル２４とクランパ４０との共働によるディスクチャッキング状態が安定する。
【００２６】
こうして安定したディスクチャッキング状態が保たれていると、クランパ４０が傾き変位可能に横架片１１に保持されているとしても、クランパ４０が傾かない。そのため、図７などに示したクランパ４０とターンテーブル２４との共働によってチャッキングされたディスクが回転しても、ディスクの振れ動きが抑制されて光ピックアップによる走査の安定性が向上し、画像品質が向上する。
【００２７】
ところで、重量バランスの不均衡によるトラバース２０の捩れ変形を修正して、ターンテーブル２４とクランパ４０との共働によるディスクチャッキング状態を安定させる機能は、トラバース姿勢保持手段の押圧部５５が受部５１を押さえてトラバース２０の前端部の片側端の高さレベルをトラバースの前端部の幅方向他側端の高さレベルに合わせるという作用か行われるだけで発揮される。しかし、この実施形態では、特に、押圧部５５の円錐部５６が受部５１の円錐面５２に重なり合う構成を採用している。そのため、シャーシ１０側の押圧部５５がトラバース２０をその幅方向及び前後方向（奥行方向）の互いに直交する２軸方向で位置決めする作用を発揮する。このことは、トラバース２０がゴム緩衝体２２を介してシャーシ１０にビス止めされていることを勘案すると、ディスクチャッキング状態でディスクＤの回転中に生じる振動の影響を受けて、ゴム緩衝体２２が微少な撓み変形を起こしてトラバース２０が位置ずれするという事態を抑制することにもなり、そのことがディスクＤの回転中の振れ動きをいっそう抑制することにつながるという利点がある。さらに、ディスク装置において、トラバース２０の初期位置はクランパ４０にターンテーブル２４が重なり合う位置、すなわち、ディスクチャッキング状態に相応する位置であって、ディスク装置の搬送時などには、トラバース２０がその初期位置に保たれている。したがって、ディスク装置の搬送時の衝撃によってトラバース２０が位置ずれするという事態をも抑制することにも役立つ。
【００２８】
この実施形態では、トラバース姿勢保持手段５０を受部５１と押圧部５５とによって構成し、受部５１をトラバース２０の孔部によって形成し、かつ、押圧部５５をシャーシ１０に樹脂で一体成形してあるので、トラバース姿勢保持手段５０を設けたことによる部品点数の増加が回避されている。そのため、当該ディスク装置の組立工数が従来例と同等になり、そのことがディスク装置の量産性の低下を防ぐことに役立っている。
【００２９】
なお、図１〜図３では、図４〜図９に示した部分と同一又は相応する部分に同一符号を付することによってその説明を簡略化した。
【図面の簡単な説明】
【００３０】
【図１】本発明の実施形態に係るディスク装置の全体構成を一部省略して示した概略平面図である。
【図２】図１の要部の拡大図である。
【図３】トラバース姿勢保持手段の作用を示した説明図である。
【図４】従来例によるディスク装置の全体構成を一部省略して示した概略平面図である。
【図５】ディスクチャッキング状態でのカム機構の状態を示した説明図である。
【図６】ディスクチャッキング解除状態でのカム機構の状態を示した説明図である。
【図７】ディスクチャッキング状態を一部断面で示した概略側面図である。
【図８】ディスクチャッキング解除状態を一部断面で示した概略側面図である。
【図９】ディスクチャッキング状態でトラバースが捩れ変形を起こしている状態の説明図である。
【符号の説明】
【００３１】
１０  シャーシ
２０  トラバース
２２  ゴム緩衝体
２４  ターンテーブル
３０  カム機構
３１  カムピン
３２  カム板
４０  クランパ
５０  トラバース姿勢保持手段
５１  受部
５２  円錐面
５５  押圧部
５６  円錐部
５７  片持ちアーム
ａ  トラバースの連結箇所
【図１】
2009004016.tif 000003
【図２】
2009004016.tif 000004
【図３】
2009004016.tif 000005
【図４】
2009004016.tif 000006
【図５】
2009004016.tif 000007
【図６】
2009004016.tif 000008
【図７】
2009004016.tif 000009
【図８】
2009004016.tif 000010
【図９】
2009004016.tif 000011